(57)【要約】【課題】イヤホンを備えない頭部装着型表示装置において、音声の聞きやすさを向上させる。【解決手段】頭部装着型表示装置は、頭部装着型表示装置が使用者の頭部に装着された装着状態において、使用者の眼の近傍に配置される光学部材と、発音体と、光学部材から延伸して使用者の頭部に沿って配置される当接部材であって、その内側に、発音体を異なる位置で固定可能な複数の固定部を有する当接部材と、発音体が固定されている位置に応じて、発音体の音量を制御する出力制御部とを備える。【選択図】図２
2014078868.tif 000002
【特許請求の範囲】
【請求項１】
頭部装着型表示装置であって、
前記頭部装着型表示装置が使用者の頭部に装着された装着状態において、前記使用者の眼の近傍に配置される光学部材と、
発音体と、
前記光学部材から延伸して前記使用者の頭部に沿って配置される当接部材と、
前記当接部材に配置され、前記発音体を異なる位置で固定可能な複数の固定部と、
前記発音体が固定されている位置に応じて前記発音体の音量を制御する出力制御部と、
を備える、頭部装着型表示装置。
【請求項２】
請求項１記載の頭部装着型表示装置であって、
前記出力制御部は、さらに、
前記発音体が固定されている位置に応じて、前記発音体の出力周波数特性を制御する、頭部装着型表示装置。
【請求項３】
請求項１または２記載の頭部装着型表示装置であって、
前記複数の固定部のうちの少なくとも１つは、前記当接部材の内側であって、前記装着状態における前記使用者の耳に対向する位置に配置され、
前記複数の固定部のうちの少なくとも１つは、前記当接部材の内側であって、前記装着状態における前記使用者の耳から外れる位置に配置されている、頭部装着型表示装置。
【請求項４】
請求項１から３のいずれか一項記載の頭部装着型表示装置であって、
前記複数の固定部は、前記当接部材の内側に対して、多角形を仮想的に敷き詰めた場合の前記多角形の頂点に位置する部分に配置され、
前記発音体は、前記複数の固定部のうちの少なくとも１つに嵌合することによって、前記当接部材に前記発音体を固定する嵌合体を備える、頭部装着型表示装置。
【請求項５】
請求項１から３のいずれか一項記載の頭部装着型表示装置であって、
前記複数の固定部は、前記当接部材の内側に対して、前記当接部材の長手方向に延伸する直線上に配置され、
前記発音体は、前記複数の固定部のうちの１つに嵌合することによって、前記当接部材に前記発音体を固定する嵌合体であって、前記嵌合体を軸として前記発音体を回転可能に保持する嵌合体を備える、頭部装着型表示装置。
【請求項６】
請求項１から３のいずれか一項記載の頭部装着型表示装置であって、
前記当接部材は、さらに、
前記当接部材の内側に配置されて前記使用者の耳に掛けられる耳掛けを有し、
前記複数の固定部は、前記耳掛けの長手方向の一端部から他端部までの間において一定の間隔で配置され、
前記発音体は、前記複数の固定部のうちの１つに嵌合することによって、前記当接部材に前記発音体を固定する嵌合体を備える、頭部装着型表示装置。
【請求項７】
請求項６記載の頭部装着型表示装置であって、
前記発音体は、さらに、
前記嵌合体と、前記発音体との間の距離を可変とする距離調節部を備える、頭部装着型表示装置。
【請求項８】
請求項４から７のいずれか一項記載の頭部装着型表示装置であって、
前記複数の固定部の内部には、それぞれ、各前記固定部に対して前記嵌合体が嵌合しているか否かを検出するためのセンサーが内蔵されている、頭部装着型表示装置。
【発明の詳細な説明】
【技術分野】
【０００１】
本発明は、頭部に装着する表示装置である頭部装着型表示装置に関する。
【背景技術】
【０００２】
頭部に装着して用いられる表示装置である頭部装着型表示装置（Head Mounted Display、ＨＭＤ）が知られている。頭部装着型表示装置は、例えば、液晶ディスプレイおよび光源を利用して画像を表す画像光を生成し、生成された画像光を投写光学系や導光板を利用して使用者の眼に導くことにより、使用者に虚像を認識させる。このような頭部装着型表示装置では、例えば眼鏡のように装着しながら、場所を選ばず、どこでも画像や映像や音声を楽しむことができる。
【０００３】
従来の技術では、頭部装着型表示装置の装着時において、使用者は常に音声出力用のイヤホンを装着することが一般的であった。イヤホンの装着は、使用者にとって手間が掛かる上に、外観的にも好ましいものではなかった。また、長時間にわたるイヤホンの使用は、使用者にストレスを与えるおそれがあるという問題があった。このような問題を解決するために、例えば特許文献１記載の頭部装着型表示装置では、耳部を非圧迫な状態で音声を供給可能な音声出力部が、使用者の耳部周辺に配置されている。また、特許文献２記載の頭部装着型表示装置では、使用者の頭部の側面を耳に向かって伸びるテンプルピースを備え、テンプルピースには、スピーカーが旋回可能なアームによって取り付けられている。
【先行技術文献】
【特許文献】
【０００４】
【特許文献１】特開平１１−３３１７３０号公報
【特許文献２】特表２００２−５１５１２７号公報
【発明の概要】
【発明が解決しようとする課題】
【０００５】
特許文献１記載の技術では、頭部装着型表示装置の装着時において、イヤホンを装着する必要はなくなっている。しかし、音声の聞きやすさに関しては、十分な工夫がされていないのが実情であった。また、特許文献２記載の技術でも、イヤホンを装着する必要はなくなっているものの、音声の聞きやすさに関しては十分な工夫がされていなかった。
【０００６】
このため、イヤホンを備えない頭部装着型表示装置において、音声の聞きやすさを向上させることが望まれていた。
【課題を解決するための手段】
【０００７】
本発明は、上述の課題の少なくとも一部を解決するためになされたものであり、以下の形態として実現することが可能である。
【０００８】
（１）本発明の一形態によれば、頭部装着型表示装置が提供される。この頭部装着型表示装置は；前記頭部装着型表示装置が使用者の頭部に装着された装着状態において、前記使用者の眼の近傍に配置される光学部材と；発音体と；前記光学部材から延伸して前記使用者の頭部に沿って配置される当接部材と；前記当接部材に配置され、前記発音体を異なる位置で固定可能な複数の固定部と；前記発音体が固定されている位置に応じて前記発音体の音量を制御する出力制御部と；を備える。この形態の頭部装着型表示装置によれば、頭部装着型表示装置は、使用者の頭部に頭部装着型表示装置を保持するための当接部材に、発音体を異なる位置で固定可能な複数の固定部を有し、出力制御部は、発音体が固定されている位置に応じて、発音体の音量を制御する。このため、イヤホンを備えない頭部装着型表示装置において、音声の聞きやすさを向上させることができる。
【０００９】
（２）上記形態の頭部装着型表示装置において；前記出力制御部は、さらに；前記発音体が固定されている位置に応じて、前記発音体の出力周波数特性を制御してもよい。この形態の頭部装着型表示装置によれば、出力制御部は、発音体が固定されている位置に応じて、発音体の音量に加えてさらに発音体の出力周波数特性を制御する。このため、イヤホンを備えない頭部装着型表示装置において、音声の聞きやすさをさらに向上させることができる。
【００１０】
（３）上記形態の頭部装着型表示装置において；前記複数の固定部のうちの少なくとも１つは、前記当接部材の内側であって、前記装着状態における前記使用者の耳に対向する位置に配置され；前記複数の固定部のうちの少なくとも１つは、前記当接部材の内側であって、前記装着状態における前記使用者の耳から外れる位置に配置されていてもよい。この形態の頭部装着型表示装置によれば、頭部装着型表示装置を装着した状態における使用者の耳に対向する位置と、耳から外れる位置と、の両方に発音体を固定可能な固定部が配置される。この結果、使用者は、発音体を自身の耳の位置に合わせて音声を聴くことに集中することも、発音体を自身の耳の位置から外した位置に合わせて外界の音を聴くことに重点を置くこともできる。
【００１１】
（４）上記形態の頭部装着型表示装置において；前記複数の固定部は、前記当接部材の内側に対して、多角形を仮想的に敷き詰めた場合の前記多角形の頂点に位置する部分に配置され；前記発音体は、前記複数の固定部のうちの少なくとも１つに嵌合することによって、前記当接部材に前記発音体を固定する嵌合体を備えてもよい。この形態の頭部装着型表示装置によれば、発音体に設けられた嵌合体と嵌合するための固定部を、当接部材の内側に対して均等に配置することができる。この結果、頭部装着型表示装置の当接部材の美観を損なうことなく、複数の固定部を設けることができる。
【００１２】
（５）上記形態の頭部装着型表示装置において；前記複数の固定部は、前記当接部材の内側に対して、前記当接部材の長手方向に延伸する直線上に配置され；前記発音体は、前記複数の固定部のうちの１つに嵌合することによって、前記当接部材に前記発音体を固定する嵌合体であって、前記嵌合体を軸として前記発音体を回転可能に保持する嵌合体を備えてもよい。この形態の頭部装着型表示装置によれば、発音体に設けられた嵌合体と嵌合するための固定部を、当接部材の長手方向に配置することができる。また、発音体の嵌合体は、自身を軸として発音体を回動可能に保持することができる。この結果、頭部装着型表示装置において、当接部材に発音体が固定される位置を２種類の方法で変えることができ、変更の自由度を高めることができる。
【００１３】
（６）上記形態の頭部装着型表示装置において；前記当接部材は、さらに；前記当接部材の内側に配置されて前記使用者の耳に掛けられる耳掛けを有し；前記複数の固定部は、前記耳掛けの長手方向の一端部から他端部までの間において一定の間隔で配置され；前記発音体は、前記複数の固定部のうちの１つに嵌合することによって、前記当接部材に前記発音体を固定する嵌合体を備えてもよい。この形態の頭部装着型表示装置によれば、発音体に設けられた嵌合体と嵌合するための固定部を、当接部材の耳掛けの長手方向の一端部から他端部までの間に配置する。このため、発音体を常に使用者の耳の近傍に配置することができる。
【００１４】
（７）上記形態の頭部装着型表示装置において；前記発音体は、さらに；前記嵌合体と、前記発音体との間の距離を可変とする距離調節部を備えてもよい。この形態の頭部装着型表示装置によれば、さらに、発音体と嵌合体との間の距離を可変とすることができる。従って、当接部材に発音体が固定される位置を、耳掛けの長手方向の一端部から他端部までの間と、当接部材に設けられた固定部に対して嵌合する嵌合体からの距離と、の２種類の方法で変えることができ、変更の自由度を高めることができる。
【００１５】
（８）上記形態の頭部装着型表示装置において；前記複数の固定部の内部には、それぞれ、各前記固定部に対して前記嵌合体が嵌合しているか否かを検出するためのセンサーが内蔵されていてもよい。この形態の頭部装着型表示装置によれば、複数の固定部の内部には、それぞれ、各固定部に嵌合体が嵌合しているか否かを検出するためのセンサーが内蔵される。このため、出力制御部は、これらセンサーの検出値を用いて、発音体が固定されている位置を容易に知ることができる。
【００１６】
上述した本発明の各形態の有する複数の構成要素は全てが必須のものではなく、上述の課題の一部または全部を解決するため、あるいは、本明細書に記載された効果の一部または全部を達成するために、適宜、前記複数の構成要素の一部の構成要素について、その変更、削除、新たな構成要素との差し替え、限定内容の一部削除を行うことが可能である。また、上述の課題の一部または全部を解決するため、あるいは、本明細書に記載された効果の一部または全部を達成するために、上述した本発明の一形態に含まれる技術的特徴の一部または全部を上述した本発明の他の形態に含まれる技術的特徴の一部または全部と組み合わせて、本発明の独立した一形態とすることも可能である。
【００１７】
例えば、本発明の一形態は、光学部材と、発音体と、当接部材と、固定部と、出力制御部と、の５つの要素のうちの一部または全部の要素を備えた装置として実現可能である。すなわち、この装置は、光学部材を有していてもよく、有していなくてもよい。また、この装置は、発音体を有していてもよく、有していなくてもよい。また、この装置は、当接部材を有していてもよく、有していなくてもよい。また、この装置は、固定部を有していてもよく、有していなくてもよい。また、この装置は、出力制御部を有していてもよく、有していなくてもよい。こうした装置は、例えば頭部装着型表示装置として実現できるが、頭部装着型表示装置以外の他の装置としても実現可能である。前述した頭部装着型表示装置の各形態の技術的特徴の一部または全部は、いずれもこの装置に適用することが可能である。
【００１８】
なお、本発明は、種々の態様で実現することが可能であり、例えば、頭部装着型表示装置および頭部装着型表示装置の制御方法、これらの方法または装置の機能を実現するためのコンピュータープログラム、そのコンピュータープログラムを記録した記録媒体等の形態で実現することができる。
【図面の簡単な説明】
【００１９】
【図１】本発明の一実施形態における頭部装着型表示装置の外観の構成を示す説明図である。
【図２】当接部材とスピーカーについて説明するための説明図である。
【図３】ヘッドマウントディスプレイの構成を機能的に示すブロック図である。
【図４】画像光生成部によって画像光が射出される様子を示す説明図である。
【図５】使用者に認識される虚像の一例を示す説明図である。
【図６】モード設定テーブルの一例を示す説明図である。
【図７】スピーカーの周波数特性の一例を示す説明図である。
【図８】エリア対応テーブルの一例を示す説明図である。
【図９】スピーカー制御処理の手順を示すフローチャートである。
【図１０】変更検知処理の手順を示すフローチャートである。
【図１１】スピーカー制御処理の手順を示すフローチャートである。
【図１２】第２実施形態の頭部装着型表示装置の当接部材とスピーカーについて説明するための説明図である。
【図１３】第２実施形態におけるテーブル構成を説明するための説明図である。
【図１４】第３実施形態の頭部装着型表示装置の当接部材とスピーカーについて説明するための説明図である。
【図１５】第３実施形態の頭部装着型表示装置の当接部材とスピーカーについて説明するための説明図である。
【図１６】第３実施形態におけるテーブル構成を説明するための説明図である。
【図１７】変形例における頭部装着型表示装置の外観の構成を示す説明図である。
【発明を実施するための形態】
【００２０】
Ａ．第１実施形態：
Ａ−１．頭部装着型表示装置の構成：
図１は、本発明の一実施形態における頭部装着型表示装置の外観の構成を示す説明図である。頭部装着型表示装置ＨＭは、頭部に装着する頭部装着型表示装置であり、ヘッドマウントディスプレイ（Head Mounted Display、ＨＭＤ）とも呼ばれる。本実施形態のヘッドマウントディスプレイＨＭは、使用者が、虚像を視認すると同時に外景も直接視認可能な光学透過型の頭部装着型表示装置である。
【００２１】
ヘッドマウントディスプレイＨＭは、使用者の頭部に装着された状態において使用者に虚像を視認させる画像表示部２０と、画像表示部２０を制御する制御部（コントローラー）１０とを備えている。
【００２２】
画像表示部２０は、使用者の頭部に装着される装着体であり、本実施形態では眼鏡形状を有している。画像表示部２０は、右当接部材２１と、右表示駆動部２２と、左当接部材２３と、左表示駆動部２４と、右光学像表示部２６と、左光学像表示部２８とを含んでいる。
【００２３】
右光学像表示部２６および左光学像表示部２８は、ヘッドマウントディスプレイＨＭの装着時における使用者の右眼および左眼の近傍（本実施形態の例では、右眼および左眼の眼前）に対応する位置に配置されている。右光学像表示部２６の一端と、左光学像表示部２８の一端は、それぞれ、ヘッドマウントディスプレイＨＭの装着時における使用者の眉間に対応する位置で接続されている。右光学像表示部２６の他端である端部ＥＲからは、右当接部材２１が延伸している。同様に、左光学像表示部２８の他端である端部ＥＬからは、左当接部材２３が延伸している。
【００２４】
右当接部材２１は、右光学像表示部２６の端部ＥＲから、ヘッドマウントディスプレイＨＭの装着時における使用者の側頭部に沿って、右光学像表示部２６とほぼ直角をなすように延伸して設けられた部材である。同様に、左当接部材２３は、左光学像表示部２８の端部ＥＬから、ヘッドマウントディスプレイＨＭの装着時における使用者の側頭部に対応する位置にかけて、左光学像表示部２８とほぼ直角をなすように延伸して設けられた部材である。右当接部材２１と、左当接部材２３は、眼鏡のテンプル（つる）のようにして、使用者の頭部にヘッドマウントディスプレイＨＭを保持する。
【００２５】
右表示駆動部２２は、右当接部材２１の内側、換言すれば、ヘッドマウントディスプレイＨＭの装着時における使用者の頭部に対向する側であって、右光学像表示部２６の端部ＥＲ側に配置されている。また、左表示駆動部２４は、左当接部材２３の内側であって、左光学像表示部２８の端部ＥＬ側に配置されている。なお、以降では、右当接部材２１および左当接部材２３を総称して単に「当接部材」と、右表示駆動部２２および左表示駆動部２４を総称して単に「表示駆動部」と、右光学像表示部２６および左光学像表示部２８を総称して単に「光学像表示部」とも呼ぶ。
【００２６】
表示駆動部は、図示しないＬＣＤ（Liquid Crystal Display：液晶ディスプレイ）や、投写光学系等を含む。詳細は後述する。光学部材としての光学像表示部は、図示しない導光板と、調光板とを含んでいる。導光板は、光透過性の樹脂材料等によって形成され、表示駆動部から取り込んだ画像光を使用者の眼に向けて射出させる。調光板は、薄板状の光学素子であり、ヘッドマウントディスプレイＨＭの表側、換言すれば、使用者の眼の側とは反対の側を覆うように配置されている。調光板は、導光板を保護し、導光板の損傷や、汚れの付着等を抑制する。また、調光板は、光透過率を調整することによって使用者の眼に入る外光量を調整し、虚像の視認のしやすさを調整することができる。調光板は省略可能である。なお、光学像表示部は、特許請求の範囲における「光学部材」に相当する。
【００２７】
画像表示部２０は、さらに、画像表示部２０を制御部１０に接続するための接続部４０を有している。接続部４０は、制御部１０に接続される本体コード４８と、本体コード４８が２本に分岐した右コード４２と、左コード４４と、分岐点に設けられた連結部材４６と、を含んでいる。右コード４２は、右当接部材２１の延伸方向の先端部ＡＰから右当接部材２１の筐体内に挿入され、右表示駆動部２２に接続されている。同様に、左コード４４は、左当接部材２３の延伸方向の先端部ＡＰから左当接部材２３の筐体内に挿入され、左表示駆動部２４に接続されている。
【００２８】
画像表示部２０と制御部１０とは、接続部４０を介して各種信号の伝送を行う。本体コード４８における連結部材４６とは反対側の端部と、制御部１０とのそれぞれには、互いに嵌合するコネクター（図示省略）が設けられており、本体コード４８のコネクターと制御部１０のコネクターとの嵌合／嵌合解除により、制御部１０と画像表示部２０とが接続されたり切り離されたりする。右コード４２と、左コード４４と、本体コード４８には、例えば、金属ケーブルや、光ファイバーを採用することができる。
【００２９】
制御部１０は、ヘッドマウントディスプレイＨＭを操作するための装置である。制御部１０は、点灯部１２と、タッチパッド１４と、十字キー１６と、電源スイッチ１８と、音量調節ボタン１９と、を含んでいる。
【００３０】
点灯部１２は、ヘッドマウントディスプレイＨＭの動作状態を、その発光状態によって通知する。ヘッドマウントディスプレイＨＭの動作状態とは、例えば、電源のＯＮ／ＯＦＦ等である。点灯部１２としては、例えば、ＬＥＤ（Light Emitting Diode）を用いることができる。タッチパッド１４は、タッチパッド１４の操作面上での使用者の指の操作を検出して、検出内容に応じた信号を出力する。十字キー１６は、上下左右方向に対応するキーへの押下操作を検出して、検出内容に応じた信号を出力する。電源スイッチ１８は、スイッチのスライド操作を検出することで、ヘッドマウントディスプレイＨＭの電源投入状態を切り替える。音量調節ボタン１９は、スピーカーから出力される音量を大きくするための＋音量ボタンと、スピーカーから出力される音量を小さくするための−音量ボタンとを含んでいる。
【００３１】
図２は、当接部材とスピーカーについて説明するための説明図である。なお、スピーカーは特許請求の範囲における「発音体」に相当する。図２（Ａ）は、左当接部材２３を内側方向から見た拡大図である。左当接部材２３は、前方当接部材２３ｘと、後方当接部材２３ｙと、連結部２３ｚとを備えている。
【００３２】
前方当接部材２３ｘは、左当接部材２３のうち、左光学像表示部２８の端部ＥＬから、ヘッドマウントディスプレイＨＭの装着時における使用者のこめかみ周辺に対応する位置までを占める部材である。換言すれば、前方当接部材２３ｘは、左光学像表示部２８の端部ＥＬから左当接部材２３の長手方向の中央部にかけて延伸する。なお、本実施形態において「中央」とは、厳密な中央だけでなく「中央付近」の部分をも含む意味で使用する。前方当接部材２３ｘの内側には、左表示駆動部２４が配置されている。
【００３３】
後方当接部材２３ｙは、前方当接部材２３ｘの先端部から、ヘッドマウントディスプレイＨＭの装着時における使用者の耳の後方に対応する位置までを占める部材である。換言すれば、後方当接部材２３ｙは、左当接部材２３の長手方向の中央部から左当接部材２３の先端部ＡＰにかけて延伸している。後方当接部材２３ｙの内側、換言すれば、ヘッドマウントディスプレイＨＭの装着時における使用者の頭部と対向する側には、複数の保持穴２３０が形成されている。各保持穴２３０は、後方当接部材２３ｙの内側に対して、多角形を仮想的に敷き詰めた場合の、多角形の頂点に位置する部分に配置されている。本実施形態では、多角形は三角形であるものとしているが、四角形としてもよいし、五角形としてもよいし、菱形としてもよい。
【００３４】
連結部２３ｚは、前方当接部材２３ｘと後方当接部材２３ｙとを連結する部材である。連結部２３ｚは、後方当接部材２３ｙの先端部ＡＰを水平方向に回動可能とする蝶番として機能する。
【００３５】
図２（Ｂ）は、後方当接部材２３ｙおよび左スピーカー３２０の断面を示す概略図である。左スピーカー３２０は、ボール３２１と、弾性体３２２と、本体部３２３と、クッション３２４と、保護カバー３２５とを備えている。ボール３２１は、球状に形成された磁性体を着磁することで作製されており、磁力を有する。ボール３２１は、後方当接部材２３ｙの保持穴２３０の１つに嵌合することによって、後方当接部材２３ｙに対して左スピーカー３２０を固定する「嵌合体」として機能する。弾性体３２２は、ボール３２１と本体部３２３とを、弾性を持たせつつ連結する。弾性体３２２は、例えばコイルバネや板バネで形成することができる。なお、弾性体３２２は省略してもよい。
【００３６】
本体部３２３は、電気信号を物理振動に変換し、音波として使用者の外耳道へ伝達するスピーカーである。振動は外耳道から、鼓膜、耳小骨(中耳)、内耳（蝸牛）、聴覚神経、脳の聴覚野の順序で伝達され、使用者に「音」として認識される。本実施形態におけるスピーカーは、円筒形状のボイスコイルと、円筒形状の永久磁石と、振動板とを備えている。永久磁石の穴にあたる円筒形の空間に、穴部分よりも僅かに直径の小さいボイスコイルが挿入されている。ボイスコイルには、円錐形状を有する振動板が固定されている。振動板は、例えば、コーン紙等により形成される。クッション３２４は、本体部３２３と、弾性体３２２と、ボール３２１の一部とを包含する緩衝材である。クッション３２４は、例えば、ゴムやポリウレタン等の肌当たりの良い材料により形成されることが好ましい。そうすれば、ヘッドマウントディスプレイＨＭの装着感を向上させることができる。なお、クッション３２４は、本体部３２３が有する振動板の円錐形状の広がり方向に相当する位置に、開口が形成されている。保護カバー３２５は、クッション３２４の開口の内側に配置され、外部からの塵埃の侵入を抑制する。保護カバー３２５としては、例えば、金属製の網や、スポンジ等を採用することができる。
【００３７】
後方当接部材２３ｙの内側面ＩＰに形成された保持穴２３０は、半球状に形成された窪みであり、左スピーカー３２０を固定する「固定部」として機能する。本実施形態では、保持穴２３０の表面は、ボール３２１の磁力によって左スピーカー３２０を保持可能なように金属で覆われている。各保持穴２３０の内部には、それぞれ、センサー２３２が内蔵されている。センサー２３２は、保持穴２３０に左スピーカー３２０のボール３２１が嵌合していることを検知する。センサー２３２は、種々のセンサーを用いることができる。センサー２３２としては、例えば、ボール３２１の接触を検出する接触センサーや、ボール３２１の接近を検出する接近センサーや、ボール３２１の磁力を検出する磁気センサー等を用いることができる。
【００３８】
なお、上記では、左当接部材２３を例示して説明したが、右当接部材２１についても同様の構成を有する。すなわち、右当接部材２１も、前方当接部材２１ｘと、後方当接部材２１ｙと、連結部２１ｚとを備え、後方当接部材２１ｙの内側には複数の保持穴２１０が形成されている。また、保持穴２１０は、右スピーカー３１０を固定する固定部として機能する。
【００３９】
図３は、ヘッドマウントディスプレイＨＭの構成を機能的に示すブロック図である。制御部１０は、入力情報取得部１１０と、記憶部１２０と、電源１３０と、ＣＰＵ１４０と、インターフェイス１８０と、送信部（Ｔｘ）５１および５２と、を備える。前述の各部はバス（図示省略）により相互に接続されている。
【００４０】
入力情報取得部１１０は、例えば、タッチパッド１４や十字キー１６や、電源スイッチ１８等に対する操作入力等の使用者による操作入力に応じた信号を取得する。記憶部１２０は、ＲＯＭや、ＲＡＭや、ＤＲＡＭや、ハードディスク等を含む記憶部である。記憶部１２０には、モード設定テーブル１２２と、エリア対応テーブル１２４とが含まれている。モード設定テーブル１２２およびエリア対応テーブル１２４は、出力制御部１７１が、右スピーカー３１０と左スピーカー３２０とを制御するために用いるテーブルである。モード設定テーブル１２２と、エリア対応テーブル１２４とは、記憶部１２０に予め格納されている。各テーブルの詳細は後述する。電源１３０は、ヘッドマウントディスプレイＨＭの各部に電力を供給する。電源１３０としては、例えば二次電池を用いることができる。
【００４１】
ＣＰＵ１４０は、予めインストールされたプログラムを実行することで、オペレーティングシステム（ОＳ）１５０としての機能を提供する。また、ＣＰＵ１４０は、ＲＯＭやハードディスクに格納されているファームウェアやコンピュータープログラムをＲＡＭに展開して実行することにより、検出部１４２、画像処理部１６０、音声処理部１７０、表示制御部１９０としても機能する。検出部１４２は、右当接部材２１の後方当接部材２１ｙに内蔵された複数のセンサーの出力値から、後方当接部材２１ｙにおいて右スピーカー３１０が固定されている保持穴２１０の位置を検出する。同様に、検出部１４２は、左当接部材２３の後方当接部材２３ｙに内蔵された複数のセンサー２３２の出力値から、後方当接部材２３ｙにおいて左スピーカー３２０が固定されている保持穴２３０の位置を検出する。
【００４２】
画像処理部１６０は、インターフェイス１８０を介して入力されるコンテンツ等に基づいて画像表示部２０に供給するための信号を生成し、画像表示部２０へ送信する。画像表示部２０に供給するための信号は、アナログ形式とディジタル形式の場合で異なる。
【００４３】
例えば、アナログ形式の場合、画像処理部１６０は、クロック信号ＰＣＬＫと、垂直同期信号ＶＳｙｎｃと、水平同期信号ＨＳｙｎｃと、画像データーＤａｔａとを生成し、送信する。具体的には、画像処理部１６０は、コンテンツに含まれる画像信号を取得する。取得した画像信号は、例えば動画像の場合、一般的に、１秒あたり３０枚のフレーム画像から構成されているアナログ信号である。画像処理部１６０は、取得した画像信号から、垂直同期信号ＶＳｙｎｃや水平同期信号ＨＳｙｎｃ等の同期信号を分離する。また、画像処理部１６０は、分離した垂直同期信号ＶＳｙｎｃや水平同期信号ＨＳｙｎｃ等の周期に応じて、図示しないＰＬＬ回路等を利用してクロック信号ＰＣＬＫを生成する。画像処理部１６０は、同期信号が分離されたアナログ画像信号を、図示しないＡ／Ｄ変換回路等を用いてディジタル画像信号に変換する。その後、画像処理部１６０は、変換後のディジタル画像信号を、ＲＧＢデーターの画像データーＤａｔａとして、１フレームごとに記憶部１２０内のＤＲＡＭに格納する。
【００４４】
例えば、ディジタル形式の場合、画像処理部１６０は、クロック信号ＰＣＬＫと、画像データーＤａｔａとを生成し、送信する。具体的には、コンテンツがディジタル形式の場合、クロック信号ＰＣＬＫが画像信号に同期して出力される。このため、垂直同期信号ＶＳｙｎｃおよび水平同期信号ＨＳｙｎｃおよびアナログ画像信号のＡ／Ｄ変換が不要となる。
【００４５】
なお、画像処理部１６０は、記憶部１２０に格納された画像データーＤａｔａに対して、解像度変換処理や、輝度・彩度の調整といった種々の色調補正処理や、キーストーン補正処理等の画像処理を実行してもよい。
【００４６】
画像処理部１６０は、上述のように生成されたクロック信号ＰＣＬＫと、垂直同期信号ＶＳｙｎｃと、水平同期信号ＨＳｙｎｃと、記憶部１２０内のＤＲＡＭに格納された画像データーＤａｔａとを、送信部５１および５２を介してそれぞれ送信する。なお、送信部５１を介して送信される画像データーＤａｔａを「右眼用画像データーＤａｔａ１」とも呼び、送信部５２を介して送信される画像データーＤａｔａを「左眼用画像データーＤａｔａ２」とも呼ぶ。送信部５１、５２は、制御部１０と、画像表示部２０との間におけるシリアル伝送のためのトランシーバーとして機能する。
【００４７】
表示制御部１９０は、右表示駆動部２２および左表示駆動部２４を制御する制御信号を生成する。具体的には、表示制御部１９０は、制御信号により、右ＬＣＤ制御部２１１による右ＬＣＤ２４１の駆動ＯＮ／ＯＦＦや、右バックライト制御部２０１による右バックライト２２１の駆動ＯＮ／ＯＦＦ、左ＬＣＤ制御部２１２による左ＬＣＤ２４２の駆動ＯＮ／ＯＦＦや、左バックライト制御部２０２による左バックライト２２２の駆動ＯＮ／ＯＦＦ、などを個別に制御することにより、右表示駆動部２２および左表示駆動部２４のそれぞれによる画像光の生成および射出を制御する。例えば、表示制御部１９０は、右表示駆動部２２および左表示駆動部２４の両方に画像光を生成させたり、一方のみに画像光を生成させたり、両方共に画像光を生成させなかったりする。
【００４８】
表示制御部１９０は、右ＬＣＤ制御部２１１と左ＬＣＤ制御部２１２とに対する制御信号を、送信部５１および５２を介してそれぞれ送信する。また、表示制御部１９０は、右バックライト制御部２０１と左バックライト制御部２０２とに対する制御信号を、それぞれ送信する。
【００４９】
音声処理部１７０は、コンテンツに含まれる音声信号を取得し、取得した音声信号を増幅して、画像表示部２０の右スピーカー３１０の本体部３１３および左スピーカー３２０の本体部３２３に対し、接続部４０を介して供給する。なお、例えば、Ｄｏｌｂｙ（登録商標）システムを採用した場合、音声信号に対する処理がなされる。この結果、右スピーカー３１０および左スピーカー３２０からは、それぞれ、例えば周波数等が変えられた異なる音が出力される。音声処理部１７０は、出力制御部１７１を含んでいる。出力制御部１７１は、後述のスピーカー制御処理によって、右スピーカー３１０および左スピーカー３２０に送信される電気信号を制御する。
【００５０】
インターフェイス１８０は、制御部１０に対して、コンテンツの供給元となる種々の外部機器ＯＡを接続するためのインターフェイスである。外部機器ОＡとしては、例えば、パーソナルコンピューターＰＣや携帯電話端末、ゲーム端末等がある。インターフェイス１８０としては、例えば、ＵＳＢインターフェイスや、マイクロＵＳＢインターフェイス、メモリーカード用インターフェイス、無線ＬＡＮインターフェイス等を備えることができる。
【００５１】
画像表示部２０は、右表示駆動部２２と、左表示駆動部２４と、右光学像表示部２６としての右導光板２６１と、左光学像表示部２８としての左導光板２６２と、センサー２１２０と、センサー２３２と、右スピーカー３１０と、左スピーカー３２０とを備えている。
【００５２】
右表示駆動部２２は、受信部（Ｒｘ）５３と、光源として機能する右バックライト（ＢＬ）制御部２０１および右バックライト（ＢＬ）２２１と、表示素子として機能する右ＬＣＤ制御部２１１および右ＬＣＤ２４１と、右投写光学系２５１を含んでいる。なお、右バックライト制御部２０１と、右ＬＣＤ制御部２１１と、右バックライト２２１と、右ＬＣＤ２４１とを総称して「画像光生成部」とも呼ぶ。
【００５３】
受信部５３は、制御部１０と、画像表示部２０との間におけるシリアル伝送のためのレシーバーとして機能する。右バックライト制御部２０１は、入力された制御信号に基づいて、右バックライト２２１を駆動する機能を有する。右バックライト２２１は、例えば、ＬＥＤやエレクトロルミネセンス（ＥＬ）等の発光体である。右ＬＣＤ制御部２１１は、受信部５３を介して入力されたクロック信号ＰＣＬＫと、垂直同期信号ＶＳｙｎｃと、水平同期信号ＨＳｙｎｃと、右眼用画像データーＤａｔａ１とに基づいて、右ＬＣＤ２４１を駆動する機能を有する。右ＬＣＤ２４１は、複数の画素をマトリクス状に配置した透過型液晶パネルである。
【００５４】
図４は、画像光生成部によって画像光が射出される様子を示す説明図である。右ＬＣＤ２４１はマトリクス状に配置された各画素位置に対応する液晶を駆動することによって、右ＬＣＤ２４１を透過する光の透過率を変化させることにより、右バックライト２２１から照射される照明光ＩＬを、画像を表す有効な画像光ＰＬへと変調する機能を有する。なお、図４のように、本実施形態ではバックライト方式を採用することとしたが、フロントライト方式や、反射方式を用いて画像光を射出する構成としてもよい。
【００５５】
図３の右投写光学系２５１は、右ＬＣＤ２４１から射出された画像光を並行状態の光束にするコリメートレンズによって構成される。右光学像表示部２６としての右導光板２６１は、右投写光学系２５１から出力された画像光を、所定の光路に沿って反射させつつ使用者の右眼ＲＥに導く。なお、右投写光学系２５１と右導光板２６１とを総称して「導光部」とも呼ぶ。なお、導光部は、画像光を用いて使用者の眼の近傍にあって、虚像を形成する限りにおいて任意の方式を用いることができ、例えば、回折格子を用いても良いし、半透過反射膜を用いても良い。
【００５６】
左表示駆動部２４の各部は、右表示駆動部２２で説明した各部と同様の構成および動作を有するため詳細な説明は省略する。
【００５７】
図５は、使用者に認識される虚像の一例を示す説明図である。上述のようにして、ヘッドマウントディスプレイＨＭの使用者の両眼に導かれた画像光が使用者の網膜に結像することにより、使用者は虚像を視認することができる。図５に示すように、ヘッドマウントディスプレイＨＭの使用者の視野ＶＲ内には虚像ＶＩが表示される。また、使用者の視野ＶＲのうち、虚像ＶＩが表示された部分については、使用者は、光学像表示部の虚像ＶＩを介して、外景ＳＣを見ることができる。さらに、使用者の視野ＶＲのうち、虚像ＶＩが表示された部分以外については、使用者は、光学像表示部を透過して、外景ＳＣを直接見ることができる。
【００５８】
Ａ−２．テーブル構成：
図６は、モード設定テーブル１２２の一例を示す説明図である。モード設定テーブル１２２は、スピーカーの音声再生モードと、スピーカーの音量および周波数特性を対応付けて記憶するテーブルである。モード設定テーブル１２２は、スピーカー制御処理において、出力制御部１７１が、左右のスピーカー、すなわち、右スピーカー３１０と左スピーカー３２０とを制御するために用いられる。モード設定テーブル１２２は、モードと、音量と、周波数特性とを含んでいる。
【００５９】
モードフィールドには、スピーカーの音声再生モードを示す文字列が格納されている。音量フィールドには、各モードに対応した左右のスピーカーの音量を表す文字列が格納されている。なお、図６の例では、音量を「大」等の文字列で表しているが、他の形態で表されてもよい。例えば、１０段階のレベル「９」等の数字で表されてもよい。周波数特性フィールドには、各モードに対応した左右のスピーカーの周波数特性を表す文字列が格納されている。
【００６０】
図６の例では、モード１の場合、出力制御部１７１は、左右のスピーカーの音量を「小」かつ周波数特性「Ａ」に制御することがわかる。モード１では、使用者が左右のスピーカーを自身の耳の位置に合わせて、音声を聴くことに集中する「本視聴モード」における音量と周波数特性を想定している。モード２の場合、出力制御部１７１は、左右のスピーカーの音量を「中」かつ周波数特性「Ｂ」に制御することがわかる。モード２では、使用者が左右のスピーカーを自身の耳の位置から少し外した位置に合わせて、音声を聴きつつも外界の音を聞く「本視聴モードとながら視聴モードの中間」における音量と周波数特性を想定している。モード３の場合、出力制御部１７１は、左右のスピーカーの音量を「中」かつ周波数特性「Ｂ」に制御することがわかる。モード４の場合、出力制御部１７１は、左右のスピーカーの音量を「大」かつ周波数特性「Ｂ」に制御することがわかる。モード３およびモード４では、使用者が左右のスピーカーを自身の耳の位置から外した位置に合わせて、音声をバックグラウンドミュージックとして外界の音を聞くことに重点を置く「ながら視聴モード」における音量と周波数特性を想定している。モード５の場合、出力制御部１７１は、左右のスピーカーの音量を「なし」かつ周波数特性「なし」、すなわち、左右のスピーカーをＯＦＦに制御することがわかる。モード５では、使用者が左右のスピーカーを自身の耳の位置から最も遠い位置に合わせて、音声をＯＦＦさせる「サイレントモード」における音声と周波数特性を想定している。
【００６１】
図７は、スピーカーの周波数特性の一例を示す説明図である。図７（Ａ）は、周波数特性「Ａ」の場合の出力（音圧レベル、ｄＢ）の変化を表している。図７（Ｂ）は、周波数特性「Ｂ」の場合の出力（音圧レベル、ｄＢ）の変化を表している。図７（Ａ）、（Ｂ）共に、縦軸は音圧レベル（ｄＢ）を、横軸は周波数（Ｈｚ）を、それぞれ表している。図７（Ａ）に示す周波数特性「Ａ」の場合、スピーカーからは、低音域と中音域と高音域との差が無い、平坦な音が出力されることがわかる。このような周波数特性の場合、使用者は、低音域から高音域まで均一に広がりのある音を楽しむことができる。すなわち、周波数特性「Ａ」は、本視聴モードに適している。一方、図７（Ｂ）に示す周波数特性「Ｂ」の場合、スピーカーからは、低音域と高音域が抑えられ、中音域が強調された音が出力されることがわかる。一般的に男性の声は３００〜５００Ｈｚ、女性の声は４００〜７００Ｈｚと言われているため、周波数特性「Ｂ」では、オーディオコンテンツの声を優先させた特性となる。すなわち、周波数特性「Ｂ」では、使用者は、スピーカーが耳から離れている場合に外界の音を聞きやすく、かつ、オーディオコンテンツの声も聞きやすい。すなわち、周波数特性「Ｂ」は、ながら視聴モードに適している。
【００６２】
なお、図７に示す２つの周波数特性はあくまで一例である。音声再生モードにおいて想定されている使用シーンに合った、様々な周波数特性を定めておくことができる。例えば、語学学習コンテンツの聞き流しに特に適した音声再生モード用の周波数特性として、周波数特性のピークを２〜５ｋＨｚに設定し、オーディオコンテンツの「声」を優先的に通りやすくした周波数特性を設定してもよい。
【００６３】
図８は、エリア対応テーブル１２４の一例を示す説明図である。図８（Ａ）は、エリア対応テーブル１２４の一例を示している。エリア対応テーブル１２４は、左右のスピーカーが固定されている位置と、スピーカーの音声再生モードとを対応付けて記憶するテーブルである。エリア対応テーブル１２４は、スピーカー制御処理において、出力制御部１７１が、スピーカーの音声再生モードを決定するために用いられる。エリア対応テーブル１２４は、領域と、モードとを含んでいる。
【００６４】
領域フィールドには、後方当接部材を仮想的に複数の領域に分割した上で、各領域を識別するための識別子が格納されている。モードフィールドには、スピーカーの音声再生モードを示す文字列が格納されている。
【００６５】
図８（Ｂ）は、領域について詳細に説明するための説明図である。ここでは、左当接部材２３を例示して説明する。図２で説明したように、左当接部材２３の後方当接部材２３ｙには、複数の保持穴２３０が形成されている。後方当接部材２３ｙを、全ての保持穴２３０がいずれかの領域に属するような仮想的な領域に分割する。例えば、図のように領域１〜領域６までの仮想的な領域に分割することができる。すると「左スピーカー３２０が固定されている位置」とは、左スピーカー３２０のボール３２１が嵌合している保持穴２３０が属する領域として識別することができる。なお、右当接部材２１についても同様である。
【００６６】
Ａ−３．スピーカー制御処理：
図９は、スピーカー制御処理の手順を示すフローチャートである。スピーカー制御処理は、スピーカーの音量と周波数特性とを制御する処理である。スピーカー制御処理は、ヘッドマウントディスプレイＨＭのＯＳ１５０がコンテンツの再生を開始する際に実行され、スピーカーが固定されている位置に応じてコンテンツの音量等を決定する。なお、スピーカー制御処理は、右当接部材２１の右スピーカー３１０と、左当接部材２３の左スピーカー３２０とに対してそれぞれ独立に実行される。以降では、左当接部材２３の左スピーカー３２０を例示して説明する。
【００６７】
出力制御部１７１は、検出部１４２にスピーカーの位置を検出させる（ステップＳ１０）。検出部１４２は、左当接部材２３の後方当接部材２３ｙに内蔵されたセンサー２３２の出力値から、後方当接部材２３ｙにおいて左スピーカー３２０が固定されている保持穴２３０の位置を検出する。検出部１４２は、検出した保持穴２３０の位置を、出力制御部１７１へ送信する。出力制御部１７１は、スピーカーの位置を検出できたか否かを判定する（ステップＳ１２）。具体的には、出力制御部１７１は、検出部１４２からスピーカーが固定されている保持穴の位置を受信した場合に、スピーカーの位置を検出できたと判定する。出力制御部１７１は、上記以外の場合には、スピーカーの位置を検出できないと判定する。スピーカーの位置を検出できない場合（ステップＳ１２：ＮＯ）、出力制御部１７１は、処理をステップＳ１０へ遷移させる。
【００６８】
スピーカーの位置を検出できた場合（ステップＳ１２：ＹＥＳ）、出力制御部１７１は、スピーカーが固定されている保持穴の位置に基づいて、スピーカーの音声再生モードを決定する（ステップＳ１４）。具体的には、出力制御部１７１は、エリア対応テーブル１２４を参照し、ステップＳ１０で受信した保持穴が属する領域に対応付けられているモードを、スピーカーの音声再生モードとする。
【００６９】
モード決定後、出力制御部１７１は、モード設定テーブル１２２を参照し、ステップＳ１４で決定したモードに応じた音量と、周波数特性でスピーカーを駆動させる（ステップＳ１６）。具体的には、出力制御部１７１は、左スピーカー３２０から目標の音量と周波数特性とが得られるように、左スピーカー３２０の本体部３２３に送信する電気信号を制御する。その後、出力制御部１７１は、変更検知処理を実行する（ステップＳ１００）。
【００７０】
Ａ−３−１．変更検知処理：
図１０は、変更検知処理の手順を示すフローチャートである。変更検知処理は、コンテンツの再生中における以下のような操作を検出し、スピーカーの音量と周波数特性とを変更する処理である。
・使用者が制御部１０を操作し、音量を変更した場合。
・使用者が当接部材内においてスピーカーが固定されている位置を変更した場合。
変更検知処理は、スピーカー制御処理のサブルーチンとして実行される。なお、スピーカー制御処理は、右当接部材２１の右スピーカー３１０と、左当接部材２３の左スピーカー３２０とに対してそれぞれ独立に実行される。以降では、左当接部材２３の左スピーカー３２０を例示して説明する。
【００７１】
出力制御部１７１は、スピーカーの位置が変更されたか否かを判定する（ステップＳ１０２）。具体的には、出力制御部１７１は、検出部１４２からスピーカーが固定されている保持穴の位置を再受信した場合に、スピーカーの位置が変更されたと判定する。出力制御部１７１は、上記以外の場合には、スピーカーの位置は変更されていないと判定する。スピーカーの位置が変更されていない場合（ステップＳ１０２：ＮＯ）、出力制御部１７１は、処理をステップＳ１０８へ遷移させる。
【００７２】
スピーカーの位置が変更された場合（ステップＳ１０２：ＹＥＳ）、出力制御部１７１は、変更後の保持穴の位置に基づいて、スピーカーの音声再生モードを決定する（ステップＳ１０４）。詳細は図９のステップＳ１４と同様である。モード決定後、出力制御部１７１は、モード設定テーブル１２２を参照し、ステップＳ１０４で決定したモードに応じた音量と、周波数特性でスピーカーを駆動させる（ステップＳ１０６）。詳細は図９のステップＳ１６と同様である。
【００７３】
出力制御部１７１は、スピーカーのボリューム操作がされたか否かを判定する（ステップＳ１０８）。具体的には、出力制御部１７１は、ＯＳ１５０が提供するイコライザー機能からの音量調節要求を受信した場合や、制御部１０の音量調節ボタン１９の押下を検出した場合に、スピーカーのボリューム操作がされたと判定する。出力制御部１７１は、上記以外の場合には、スピーカーのボリューム操作がされていないと判定する。スピーカーのボリューム操作がされていない場合（ステップＳ１０８：ＮＯ）、出力制御部１７１は、処理をステップＳ１０２へ遷移させ、変更検知処理を繰り返す。
【００７４】
スピーカーのボリューム操作がされた場合（ステップＳ１０８：ＹＥＳ）、出力制御部１７１は、ステップＳ１０８で受信した音量でスピーカーを駆動させる（ステップＳ１１０）。詳細は図９のステップＳ１６と同様である。なお、ステップＳ１１０において、イコライザー機能からの音量調節要求に基づいて処理を行う場合、出力制御部１７１は、音量に加えてその他の制御パラメータ（周波数特性等）に基づくスピーカー性能が得られるように、本体部３２３に送信する電気信号を制御することができる。
【００７５】
その後、出力制御部１７１は、処理をステップＳ１０２へ遷移させ、変更検知処理を繰り返す。変更検知処理は、コンテンツの再生が停止されるまで、または、ヘッドマウントディスプレイＨＭの電源がＯＦＦされるまで、繰り返し実行される。このようにすれば、出力制御部１７１は、コンテンツの再生中における音量の変更操作や、スピーカーが固定されている位置の変更操作を検出して、スピーカーの音量や周波数特性を適宜、変更することができる。
【００７６】
以上のように、第１実施形態のヘッドマウントディスプレイＨＭは、使用者の頭部にヘッドマウントディスプレイＨＭ（頭部装着型表示装置）を保持するための右当接部材２１および左当接部材２３（当接部材）に、右スピーカー３１０および左スピーカー３２０（発音体）を異なる位置で固定可能な複数の保持穴２１０および保持穴２３０（固定部）を有する。また、出力制御部１７１は、左右のスピーカーが固定されている位置に応じて、それぞれ、スピーカーの音量および出力周波数特性を制御する。このため、イヤホンを備えないヘッドマウントディスプレイＨＭにおいて、音声の聞きやすさを向上させることができる。
【００７７】
さらに、第１実施形態のヘッドマウントディスプレイＨＭでは、左右のスピーカーのボール３１１およびボール３２１（嵌合体）と嵌合するための保持穴２１０および保持穴２３０（固定部）を、右当接部材２１および左当接部材２３（当接部材）の内側に対して均等に配置することができる。この結果、ヘッドマウントディスプレイＨＭの右当接部材２１および左当接部材２３（当接部材）の美観を損なうことなく、複数の保持穴２１０および保持穴２３０（固定部）を設けることができる。
【００７８】
Ａ−４．スピーカー制御処理（バリエーション）：
図１１は、図９とは異なるスピーカー制御処理の手順を示すフローチャートである。図９に示すスピーカー制御処理との違いは、ＯＳ１５０が提供するイコライザー機能における設定に応じてコンテンツの音量等を決定する点である。その他、実行タイミング、実行主体、実行対象等は、図９の第１実施形態と同様である。
【００７９】
出力制御部１７１は、ＯＳ１５０が提供するイコライザー機能の設定値を取得する（ステップＳ５０）。具体的には、例えば、出力制御部１７１は、イコライザー機能を実現するプログラムが使用する設定ファイルから、音量および周波数特性の設定値を取得することができる。設定値取得後、出力制御部１７１は、ステップＳ５０で取得した設定値に応じた音量と、周波数特性でスピーカーを駆動させる（ステップＳ５２）。詳細は図９のステップＳ１６と同様である。その後、出力制御部１７１は、図１０の変更検知処理を実行する（ステップＳ１００）。
【００８０】
図１１のようなスピーカー制御処理を用いた場合、コンテンツの再生を開始した際のスピーカー音量や周波数特性は、イコライザー機能における設定に基づいて決定される。しかし、ステップＳ１００で実行される変更検知処理によって、出力制御部１７１は、コンテンツ再生中の音量の変更操作や、スピーカーが固定されている位置の変更操作を検出して、スピーカーの音量や周波数特性を適宜、変更することができる。このため、図１１のようなスピーカー制御処理においても、図９と同様の効果を得ることができる。
【００８１】
Ｂ．第２実施形態：
本発明の第２実施形態では、第１実施形態のヘッドマウントディスプレイＨＭに対して、当接部材とスピーカーの構成を変更した例について説明する。以下では、第１実施形態と異なる構成および動作を有する部分についてのみ説明する。なお、図中において第１実施形態と同様の構成部分については先に説明した第１実施形態と同様の符号を付し、その詳細な説明を省略する。
【００８２】
Ｂ−１．頭部装着型表示装置の構成：
図１２は、第２実施形態の頭部装着型表示装置の当接部材とスピーカーについて説明するための説明図である。図１２（Ａ）は、左当接部材２３ａを内側方向から見た拡大図である。図２に示した第１実施形態との違いは、ヘッドマウントディスプレイＨＭａの画像表示部２０ａが、右表示駆動部２２に代えて右表示駆動部２２ａを、左表示駆動部２４に代えて左表示駆動部２４ａを、右当接部材２１に代えて右当接部材２１ａを、左当接部材２３に代えて左当接部材２３ａを、それぞれ備える点である。
【００８３】
左表示駆動部２４ａは、左サブスピーカー３５２を内蔵する点でのみ、第１実施形態と異なる。左サブスピーカー３５２は、その周波数特性が異なる部分を除いては、第１実施形態で説明した左スピーカー３２０の本体部３２３と同じ構成を有する。本実施形態における左サブスピーカー３５２は、高音再生能力に優れるように周波数特性を最適化されたスピーカーである。
【００８４】
左当接部材２３ａは、保持穴２３０に代えて保持穴２３３と保持穴２３４とを備え、左スピーカー３２０に代えて左スピーカー３４０を備えている。保持穴２３３と保持穴２３４とは、後方当接部材２３ｙａの内側に対して、左当接部材２３ａの長手方向に延伸する直線上に配置されている。
【００８５】
図１２（Ｂ）は、左スピーカー３４０の拡大図である。左スピーカー３４０は、上端部を細く形成された楕円形、いわゆる涙型を有している点と、ボール３２１に代えて把持爪３２１ａを備えている点と、弾性体３２２を備えない点と、を除けば、第１実施形態の左スピーカー３２０とほぼ同じである。把持爪３２１ａは、ミシン等で使用されるボビンのように、棒状部材の両端に円形板を設けた形状を有する。把持爪３２１ａの一方の円形板は、後方当接部材２３ｙａの保持穴２３３と保持穴２３４とのいずれか一方に嵌合することによって、後方当接部材２３ｙａに対して左スピーカー３４０を固定する。把持爪３２１ａの他方の円形板は、左スピーカー３４０に内蔵された本体部３２３に連結されている。なお、ボール３２１は左スピーカー３２０の略中央部に配置されていたが、本実施形態の把持爪３２１ａは左スピーカー３４０の先細部分、すなわち、上端部分に配置されている。また、把持爪３２１ａの他方の円形板は、ラチェット機構を内蔵することによって、把持爪３２１ａを軸として左スピーカー３４０を回転可能とし、さらに、任意の回転角度で左スピーカー３４０を保持することができる。なお、本実施形態では、把持爪３２１ａが特許請求の範囲における「嵌合体」に相当する。
【００８６】
後方当接部材２３ｙａの内側面に形成された保持穴２３３と保持穴２３４とは、断面が反時計回りに９０度回転されたＴ字状に形成された窪みであり、左スピーカー３４０を固定する「固定部」として機能する。保持穴２３３の内部にはセンサー２３５が内蔵されている。センサー２３５は、保持穴２３３に左スピーカー３４０の把持爪３２１ａが嵌合していることを検知する。同様に、保持穴２３４の内部にはセンサー２３６が内蔵されている。センサー２３６は、保持穴２３４に左スピーカー３４０の把持爪３２１ａが嵌合していることを検知する。センサー２３５、２３６の詳細は第１実施形態のセンサー２３２と同様である。
【００８７】
上記のような構成を採用することにより、本実施形態のヘッドマウントディスプレイＨＭａでは、左当接部材２３ａにおいてスピーカー３４０を図１２（Ｂ）の矢印の方向に移動させることができる。なお、上記では、左表示駆動部２４ａおよび左当接部材２３ａを例示して説明したが、右表示駆動部２２ａおよび右当接部材２１ａについても同様の構成を有する。
【００８８】
Ｂ−２．テーブル構成：
図１３は、第２実施形態におけるテーブル構成を説明するための説明図である。図１３（Ａ）は、第２実施形態におけるモード設定テーブル１２２ａの一例を示している。図６に示した第１実施形態との違いは、モードと、左右のスピーカーの音量および周波数特性と、に加えてさらに、サブスピーカーについて設定するためのフィールドを含んでいる点である。サブスピーカーフィールドには、左サブスピーカー３５２および右サブスピーカー３５１のＯＮ／ＯＦＦの区分が格納されている。図１３（Ａ）の例では、モード１の場合、出力制御部１７１は、左右のスピーカーの音量を「小」かつ周波数特性「Ａ」に制御し、かつ、左右のサブスピーカーをＯＦＦに制御することがわかる。同様に、モード２の場合、出力制御部１７１は、左右のスピーカーの音量が「中」かつ周波数特性「Ｂ」に制御し、かつ、左右のサブスピーカーをＯＦＦに制御することがわかる。モード３〜モード５についても図示の通りであるため、説明を省略する。第２実施形態のモード設定テーブル１２２ａの各モードについても、第１実施形態と同じ本視聴モード／ながら視聴モードの対応付けが想定されている。
【００８９】
図１３（Ｂ）は、第２実施形態におけるエリア対応テーブル１２４ａの一例を示している。図８に示した第１実施形態との違いは、領域と回転角度との組み合わせに対してモードが対応付けられている点である。本実施形態のエリア対応テーブル１２４ａでは、領域を、以下の２つの領域に分割している。
・領域１：連結部２３ｚ側の保持穴（すなわち、保持穴２１３または保持穴２３３）にスピーカーが保持されている場合。
・領域２：当接部材の先端部ＡＰ側の保持穴（すなわち、保持穴２１４または保持穴２３４）にスピーカーが保持されている場合。
【００９０】
また、本実施形態のエリア対応テーブル１２４ａでは、回転角度を、以下の３つの角度に規定している。
・回転角度１：スピーカーの保護カバーが保持穴の鉛直方向下側に位置している場合。
・回転角度２：スピーカーの保護カバーが連結部２３ｚ側に位置している場合。
・回転角度３：スピーカーの保護カバーが当接部材の先端部ＡＰ側に位置している場合。
このようにすれば、「左スピーカー３４０が固定されている位置」とは、左スピーカー３４０の把持爪３２１ａが嵌合している保持穴の位置と、左スピーカー３４０の回転角度と、の組み合わせとして識別することができる。なお、右当接部材２１ａについても同様である。
【００９１】
Ｂ−３．処理：
第２実施形態におけるスピーカー制御処理は、図９に示した第１実施形態と同様である。同様に、第２実施形態における変更検知処理は、図１０に示した第１実施形態と同様である。また、第２実施形態においても、第１実施形態で「バリエーション」として例示した種々の変形を適用可能である。
【００９２】
以上のように、第２実施形態の構成によっても、使用者の頭部にヘッドマウントディスプレイＨＭａ（頭部装着型表示装置）を保持するための右当接部材２１ａおよび左当接部材２３ａ（当接部材）は、その内側に、右スピーカー３３０および左スピーカー３４０（発音体）を異なる位置で固定可能な複数の保持穴２１３、２１４、２３３、２３４（固定部）を有する。また、出力制御部１７１は、左右のスピーカーが固定されている位置に応じて、それぞれ、スピーカーの音量および出力周波数特性を制御する。このため、イヤホンを備えないヘッドマウントディスプレイＨＭａにおいて、音声の聞きやすさを向上させることができる。
【００９３】
さらに、第２実施形態のヘッドマウントディスプレイＨＭａでは、左右のスピーカーに設けられた把持爪３１１ａおよび把持爪３２１ａ（嵌合体）と嵌合するための保持穴２１３、２１４、２３３、２３４（固定部）を、右当接部材２１ａおよび左当接部材２３ａ（当接部材）の長手方向に配置することができる。また、左右のスピーカーに設けられた把持爪３１１ａおよび把持爪３２１ａ（嵌合体）は、自身を軸としてスピーカーを回動可能に保持することができる。この結果、ヘッドマウントディスプレイＨＭａにおいて、右当接部材２１ａおよび左当接部材２３ａ（当接部材）にスピーカーが固定される位置を２種類の方法で変えることができ、変更の自由度を高めることができる。
【００９４】
Ｃ．第３実施形態：
本発明の第３実施形態では、第１実施形態のヘッドマウントディスプレイＨＭに対して、当接部材とスピーカーの構成を変更した例について説明する。以下では、第１実施形態と異なる構成および動作を有する部分についてのみ説明する。なお、図中において第１実施形態と同様の構成部分については先に説明した第１実施形態と同様の符号を付し、その詳細な説明を省略する。
【００９５】
Ｃ−１．頭部装着型表示装置の構成：
図１４は、第３実施形態の頭部装着型表示装置の当接部材とスピーカーについて説明するための説明図である。図１５は、第３実施形態の頭部装着型表示装置の当接部材とスピーカーについて説明するための説明図である。図１４（Ａ）は、左当接部材２３ｂを内側方向から見た拡大図である。図２に示した第１実施形態との違いは、ヘッドマウントディスプレイＨＭｂの画像表示部２０ｂが、右当接部材２１に代えて右当接部材２１ｂを、左当接部材２３に代えて左当接部材２３ｂを、それぞれ備える点である。左当接部材２３ｂは、左スピーカー３２０に代えて左スピーカー３７０を備え、さらに、耳掛け２３７を備えている。
【００９６】
図１４（Ｂ）は、耳掛け２３７および左スピーカー３７０の拡大図である。耳掛け２３７は、人間の耳介の縁と類似した形状に湾曲した棒状の部材であり、使用者の耳に掛けられることで、ヘッドマウントディスプレイＨＭｂを使用者の頭部に保持する機能を有する。耳掛け２３７は、装着感の向上のために、柔軟性の高い材料で形成されることが好ましい。耳掛け２３７の一端部ＳＰは、左当接部材２３ｂの後方当接部材２３ｙｂの内側に接着されており、他端部ＥＰは自由動可能である。耳掛け２３７の一端部ＳＰから他端部ＥＰまでの間には、一定の間隔で、複数の保持穴２３８が形成されている。耳掛け２３７に形成された保持穴２３８は、断面が反時計回りに９０度回転されたＴ字状に形成された窪みであり、左スピーカー３７０を固定する「固定部」として機能する。詳細は第２実施形態で説明した保持穴２３３と同様である。また、各保持穴２３８の内部には、センサーが内蔵されている。詳細は第２実施形態で説明したセンサー２３５と同様である。
【００９７】
図１５（Ａ）は、左スピーカー３７０の断面を示す概略図である。左スピーカー３７０は、把持爪３２１ｂと、コード３７１と、巻回部３７２と、本体部３７３と、クッション３７４と、保護カバー３７５と、赤外線センサー３５６とを備えている。把持爪３２１ｂは、第２実施形態で説明した把持爪３２１ａと同様の形状、すなわち棒状部材の両端に円形板を設けた形状を有し、一方の円形板が保持穴２３８の１つに嵌合することによって、耳掛け２３７に対して左スピーカー３７０を固定する。把持爪３２１ｂの他方の円形板には、紐状のコード３７１が接合されている。巻回部３７２は、略Ｔ字状の断面を有する部材であり、巻回されたコード３７１を保持する。なお、本実施形態では、把持爪３２１ｂが特許請求の範囲における「嵌合体」に、コード３７１および巻回部３７２が特許請求の範囲における「距離調節部」に、それぞれ相当する。
【００９８】
本体部３７３の構造は、第１実施形態の本体部３２３とほぼ同様であるが、第３実施形態の本体部３７３は、薄型かつ小型に形成されることが好ましい。クッション３７４は、本体部３７３と、巻回部３７２の一部とを包含する緩衝材である。第３実施形態のクッション３７４は、第１実施形態のクッション３２４とほぼ同様であるが、第３実施形態のクッション３７４は、薄型かつ小型に形成されることが好ましい。保護カバー３７５は、クッション３７４の開口に配置され、外部からの塵埃の侵入を抑制する。詳細は第１実施形態の保護カバー３２５と同様である。赤外線センサー３５６は、コード３７１が接合されている側の円形板の下側端部に設けられている。赤外線センサー３５６は、発光素子と、受光素子とを含む。発光素子は、鉛直方向に向かって赤外線を発光する。受光素子は、クッション３７４に反射した赤外線を受光する。このようにして、赤外線センサー３５６は、発光素子と、左スピーカー３７０の上面との間の距離Ｌ１を測定することができる。
【００９９】
さらに、図１５（Ｂ）のように、左スピーカー３７０が耳掛け２３７の端部ＳＰに最も近い保持穴２３８に保持されている場合に、左スピーカー３７０の向きを変更可能な構成としてもよい。これは、例えば、左スピーカー３７０の巻回部３７２に回転用の軸を内蔵させることで実現することができる。
【０１００】
上記のような構成を採用することにより、本実施形態のヘッドマウントディスプレイＨＭｂでは、スピーカー３７０を、図１４（Ｂ）の矢印の方向および図１５（Ａ）の矢印の方向に、それぞれ移動させることができる。なお、上記では、左当接部材２３ｂを例示して説明したが、右当接部材２１ｂについても同様の構成を有する。
【０１０１】
Ｃ−２．テーブル構成：
図１６は、第３実施形態におけるテーブル構成を説明するための説明図である。第３実施形態におけるモード設定テーブルは、図６に示した第１実施形態と同様である。第３実施形態におけるエリア対応テーブル１２４ｂは、領域と長さとの組合せに対してモードが対応付けられている点において、図８に示した第１実施形態と異なる。本実施形態のエリア対応テーブル１２４ｂでは、耳掛け２３７の端部ＳＰ側に最も近い保持穴２３８を領域１とし、端部ＥＰ側に向かって領域番号を１ずつ増加させながら、保持穴の１つに対して１つの領域番号を割り当てている。また、本実施形態のエリア対応テーブル１２４ｂでは、長さを、赤外線センサー３５６により測定された距離Ｌ１としている。このようにすれば、「左スピーカー３７０が固定されている位置」とは、左スピーカー３７０の把持爪３２１ｂが嵌合している保持穴の位置と、赤外線センサー３５６と左スピーカー３７０の上面との間の距離と、の組み合わせとして識別することができる。なお、右当接部材２１ｂについても同様である。
【０１０２】
Ｃ−３．処理：
第３実施形態におけるスピーカー制御処理は、図９に示した第１実施形態と同様である。同様に、第３実施形態における変更検知処理は、図１０に示した第１実施形態と同様である。また、第３実施形態においても、第１実施形態で「バリエーション」として例示した種々の変形を適用可能である。
【０１０３】
以上のように、第３実施形態の構成によっても、使用者の頭部にヘッドマウントディスプレイＨＭｂ（頭部装着型表示装置）を保持するための右当接部材２１ｂおよび左当接部材２３ｂ（当接部材）は、その内側に設けられた耳掛け２１７と耳掛け２３７に、右スピーカー３６０および左スピーカー３７０（発音体）を異なる位置で固定可能な複数の保持穴２１８、２３８（固定部）を有する。また、出力制御部１７１は、左右のスピーカーが固定されている位置に応じて、それぞれ、スピーカーの音量および出力周波数特性を制御する。このため、イヤホンを備えないヘッドマウントディスプレイＨＭｂにおいて、音声の聞きやすさを向上させることができる。
【０１０４】
さらに、第３実施形態のヘッドマウントディスプレイＨＭｂでは、右スピーカー３６０および左スピーカー３７０（発音体）に設けられた把持爪３１１ｂおよび把持爪３２１ｂ（嵌合体）と嵌合するための保持穴２１８、２３８（固定部）を、右当接部材２１ｂおよび左当接部材２３ｂ（当接部材）の耳掛け２１７、２３７の長手方向の一端部ＳＰから他端部ＥＰまでの間に配置する。このため、スピーカーを常に使用者の耳の近傍に配置することができる。
【０１０５】
さらに、第３実施形態のヘッドマウントディスプレイＨＭｂでは、右スピーカー３６０および左スピーカー３７０（発音体）と把持爪３１１ｂおよび把持爪３２１ｂ（嵌合体）との間の距離Ｌ１を可変とすることができる。従って、スピーカーが固定される位置を、耳掛け２１７、２３７の長手方向の一端部ＳＰから他端部ＥＰまでの間と、右当接部材２１ｂおよび左当接部材２３ｂ（当接部材）に設けられた保持穴２１８、２３８（固定部）に対して嵌合する把持爪３１１ｂおよび把持爪３２１ｂ（嵌合体）からの距離Ｌ１と、の２種類の方法で変えることができ、変更の自由度を高めることができる。
【０１０６】
Ｄ．変形例：
上記実施形態において、ハードウェアによって実現されるとした構成の一部をソフトウェアに置き換えるようにしてもよく、逆に、ソフトウェアによって実現されるとした構成の一部をハードウェアに置き換えるようにしてもよい。その他、以下のような変形も可能である。
【０１０７】
・変形例１：
上記実施形態では、ヘッドマウントディスプレイの構成について例示した。しかし、ヘッドマウントディスプレイの構成は、本発明の要旨を逸脱しない範囲において任意に定めることが可能であり、例えば、各構成部の追加・削除・変換等を行うことができる。
【０１０８】
上記実施形態では、説明の便宜上、制御部が送信部を備え、画像表示部が受信部を備えるものとした。しかし、上記実施形態の送信部および受信部は、いずれも、双方向通信が可能な機能を備えており、送受信部として機能することができる。
【０１０９】
例えば、接続部を省略し、制御部と画像表示部とが無線通信可能な構成としてもよい。具体的には、制御部にさらに第１の無線通信部を備えると共に、画像表示部にさらに第２の無線通信部と電源とを備える構成とする。この場合、第１の無線通信部が上記実施形態における送信部として機能し、第２の無線通信部が上記実施形態における受信部として機能する。
【０１１０】
例えば、制御部、画像表示部の構成は任意に変更することができる。具体的には、例えば、制御部からタッチパッドを省略し、十字キーのみで操作する構成としてもよい。また、制御部に操作用スティック等の他の操作用インターフェイスを備えても良い。また、制御部にはキーボードやマウス等のデバイスを接続可能な構成として、キーボードやマウスから入力を受け付けるものとしてもよい。また、制御部にＷｉ−Ｆｉ（wireless fidelity）等を用いた通信部を設けてもよい。
【０１１１】
例えば、制御部は、有線の信号伝送路を介して画像表示部と接続されているものとした。しかし、制御部と、画像表示部とは、無線ＬＡＮや赤外線通信やＢｌｕｅｔｏｏｔｈ（登録商標）等の無線の信号伝送路を介した接続により接続されていてもよい。
【０１１２】
例えば、ヘッドマウントディスプレイは、両眼タイプの透過型ヘッドマウントディスプレイであるものとしたが、単眼タイプのヘッドマウントディスプレイとしてもよい。また、使用者がヘッドマウントディスプレイを装着した状態において外景の透過が遮断される非透過型ヘッドマウントディスプレイとして構成してもよい。
【０１１３】
図１７は、変形例におけるヘッドマウントディスプレイの外観の構成を示す説明図である。図１７（Ａ）の例の場合、図１に示したヘッドマウントディスプレイＨＭとの違いは、画像表示部２０ｃが、右光学像表示部２６に代えて右光学像表示部２６ｃを備える点と、左光学像表示部２８に代えて左光学像表示部２８ｃを備える点である。右光学像表示部２６ｃは、第１実施形態の光学部材よりも小さく形成され、ヘッドマウントディスプレイの装着時における使用者の右眼の斜め上に配置されている。同様に、左光学像表示部２８ｃは、第１実施形態の光学部材よりも小さく形成され、ヘッドマウントディスプレイの装着時における使用者の左眼の斜め上に配置されている。図１７（Ｂ）の例の場合、図１に示したヘッドマウントディスプレイＨＭとの違いは、画像表示部２０ｄが、右光学像表示部２６に代えて右光学像表示部２６ｄを備える点と、左光学像表示部２８に代えて左光学像表示部２８ｄを備える点である。右光学像表示部２６ｄは、第１実施形態の光学部材よりも小さく形成され、ヘッドマウントディスプレイの装着時における使用者の右眼の斜め下に配置されている。左光学像表示部２８ｄは、第１実施形態の光学部材よりも小さく形成され、ヘッドマウントディスプレイの装着時における使用者の左眼の斜め下に配置されている。このように、光学像表示部は使用者の眼の近傍に配置されていれば足りる。また、光学像表示部を形成する光学部材の大きさも任意であり、光学像表示部が使用者の眼の一部分のみを覆う態様、換言すれば、光学像表示部が使用者の眼を完全に覆わない態様のヘッドマウントディスプレイとして実現することもできる。
【０１１４】
例えば、画像処理部、表示制御部、検出部、音声処理部、出力制御部等の機能部は、ＣＰＵがＲＯＭやハードディスクに格納されているコンピュータープログラムをＲＡＭに展開して実行することにより実現されるものとして記載した。しかし、これら機能部は、当該機能を実現するために設計されたＡＳＩＣ（Application Specific Integrated Circuit：特定用途向け集積回路）を用いて構成されてもよい。
【０１１５】
例えば、上記実施形態では、画像表示部を眼鏡のように装着するヘッドマウントディスプレイであるとしているが、画像表示部が通常の平面型ディスプレイ装置（液晶ディスプレイ装置、プラズマディスプレイ装置、有機ＥＬディスプレイ装置等）であるとしてもよい。この場合にも、制御部と画像表示部との間の接続は、有線の信号伝送路を介した接続であってもよいし、無線の信号伝送路を介した接続であってもよい。このようにすれば、制御部を、通常の平面型ディスプレイ装置のリモコンとして利用することもできる。
【０１１６】
また、画像表示部として、眼鏡のように装着する画像表示部に代えて、例えば帽子のように装着する画像表示部といった他の形状の画像表示部を採用してもよい。また、イヤホンは耳掛け型やヘッドバンド型を採用してもよく、省略しても良い。また、例えば、自動車や飛行機等の車両に搭載されるヘッドマウントディスプレイとして構成されてもよい。また、例えば、ヘルメット等の身体防護具に内蔵されたヘッドマウントディスプレイとして構成されてもよい。
【０１１７】
例えば、上記実施形態では、電源として二次電池を用いることしたが、電源としては二次電池に限らず、種々の電池を使用することができる。例えば、一次電池や、燃料電池、太陽電池、熱電池等を使用してもよい。
【０１１８】
例えば、上記実施形態では、画像光生成部は、バックライトと、バックライト制御部と、ＬＣＤと、ＬＣＤ制御部とを用いて構成されるものとした。しかし、上記の態様はあくまで例示である。画像光生成部は、これらの構成部と共に、またはこれらの構成部に代えて、他の方式を実現するための構成部を備えていても良い。
【０１１９】
例えば、画像光生成部は、有機ＥＬ（有機エレクトロルミネッセンス、Organic Electro-Luminescence）のディスプレイと、有機ＥＬ制御部とを備える構成としても良い。また、例えば、レーザー網膜投影型の頭部装着型表示装置に対して本発明を適用することも可能である。
【０１２０】
上記実施例において、画像処理部は、同じ画像データーを右眼用画像データーおよび左眼用画像データーとして出力することとした。しかし、画像処理部は、右眼用画像データーと、左眼用画像データーとを、異なる画像データーにすることで、使用者に３Ｄの虚像を視認させることが可能な構成としてもよい。
【０１２１】
・変形例２：
上記実施形態では、モード設定テーブルおよびエリア対応テーブルの一例を示した。しかし、上記実施形態における各テーブルの詳細はあくまで一例であり、種々の変更が可能である。
【０１２２】
例えば、モード設定テーブルおよびエリア対応テーブルは、各エントリーの内容を含めて、予め定められ記憶部に格納されていることとした。しかし、モード設定テーブルおよびエリア対応テーブルのエントリーの内容は、ヘッドマウントディスプレイの使用者が、自身の好みに合わせて新規作成・変更可能な構成としてもよい。
【０１２３】
例えば、モード設定テーブルおよびエリア対応テーブルに対して、フィールドの追加、削除、変更を行うことも可能である。具体的には、例えば、モード設定テーブルに対して、さらに、音声信号のゆがみの程度を表す歪率のフィールドを設けて、音量と周波数特性とに加えて、歪率をも制御可能な構成とすることもできる。
【０１２４】
・変形例３：
上記実施形態では、スピーカー制御処理および変更検知処理の一例を示した。しかし、図９〜図１１に示した処理の手順はあくまで一例であり、種々の変形が可能である。例えば、一部のステップを省略してもよいし、更なる他のステップを追加してもよい。また、実行されるステップの順序を変更してもよい。
【０１２５】
例えば、ステップＳ１４では、エリア対応テーブルを用いることで、スピーカーが固定されている保持穴の位置に基づいたスピーカーの音声再生モードの決定を行った。しかし、エリア対応テーブルを用いずに、スピーカーの音声再生モードの決定を行うこともできる。例えば、以下の（１）〜（３）のような方法で実現可能である。また、エリア対応テーブルを用いた上記実施形態の方法と、以下の（１）〜（３）の方法とを併用してもよい。
（１）複数の保持穴のうちの少なくとも１つを「基本位置」として予め定める。そして、現在スピーカーが固定されている保持穴の位置と、基本位置との間の距離の大きさに応じてスピーカーの音声再生モードを決定する。
（２）保持穴にローラーまたは把持爪が嵌合していることを検知するセンサーに代えて、保持穴に圧力センサーを内蔵する。そして、圧力センサーの検出値に応じてスピーカーの音声再生モードを決定する。
（３）ヘッドマウントディスプレイに例えばＧＰＳ（Global Positioning System）のような現在位置取得手段を設ける。そして、現在位置取得手段を用いてヘッドマウントディスプレイを装着した使用者の移動速度を求め、求めた移動速度に応じてスピーカーの音声再生モードを決定する。
【０１２６】
例えば、出力制御部は、決定されたスピーカーの音声再生モード以外にも、再生中のコンテンツの種別、周囲の環境音、使用者からの指示の有無、コンテンツ内容の解析結果など、様々な条件に基づいて、スピーカーへの電気信号の送信を制御することができる。
【０１２７】
スピーカー制御処理および変更検知処理は、右当接部材の右スピーカーと、左当接部材の左スピーカーとに対して、それぞれ独立に実行される。このため、例えば、一方のスピーカーを耳に接触させて他方のスピーカーを耳から離すといった使用方法も可能である。この場合、両スピーカーにおける音声再生モードは異なるモードとなる。
【０１２８】
・変形例４：
上記実施形態では、当接部材に設けられる保持穴と、発音体との構成の一例を示した。しかし、保持穴および発音体の構成は、本発明の要旨を逸脱しない範囲において任意に定めることが可能であり、例えば、各構成部の追加・削除・変換等を行うことができる。
【０１２９】
例えば、発音体として、スピーカーに代えてイヤホンや、圧電素子や、骨伝導ユニット等を採用してもよい。
【０１３０】
例えば、上記第２実施形態では、左右のスピーカーに加えてサブスピーカーを設けた構成について説明した。しかし、第１実施形態や第３実施形態のヘッドマウントディスプレイにおいても、サブスピーカーを設けることができる。また、サブスピーカーを設ける位置や、サブスピーカーの性質等は、任意に変更可能である。例えば、サブスピーカーとして、骨伝導ユニットを採用してもよい。
【０１３１】
例えば、第１実施形態のスピーカーは、当接部材の固定部に嵌合する嵌合体として、磁力を持つローラーを例示した。また、第２、第３実施形態のスピーカーは、当接部材の固定部に嵌合する嵌合体として、円形板を有する把持爪を例示した。しかし、これらはあくまで例示であり、当接部材に形成された固定部と、スピーカーが持つ嵌合体とは、任意の構成を採用することができる。
【０１３２】
・変形例５：
本発明は、上述の実施形態や実施例、変形例に限られるものではなく、その趣旨を逸脱しない範囲において種々の構成で実現することができる。例えば、発明の概要の欄に記載した各形態中の技術的特徴に対応する実施形態、実施例、変形例中の技術的特徴は、上述の課題の一部または全部を解決するために、あるいは、上述の効果の一部または全部を達成するために、適宜、差し替えや組み合わせを行うことが可能である。また、その技術的特徴が本明細書中に必須なものとして説明されていなければ、適宜、削除することが可能である。
【符号の説明】
【０１３３】
１０…制御部（コントローラー）
１２…点灯部
１４…タッチパッド
１６…十字キー
１８…電源スイッチ
１９…音量調節ボタン
２０…画像表示部
２１…右当接部材（当接部材）
２１ｘ…前方当接部材
２１ｙ…後方当接部材
２１ｚ…連結部
２２…右表示駆動部
２３…左当接部材（当接部材）
２３ｘ…前方当接部材
２３ｙ…後方当接部材
２３ｚ…連結部
２４…左表示駆動部
２６…右光学像表示部（光学部材）
２８…左光学像表示部（光学部材）
４０…接続部
４２…右コード
４４…左コード
４６…連結部材
４８…本体コード
５１…送信部
５２…送信部
５３…受信部
５４…受信部
１１０…入力情報取得部
１２０…記憶部
１２２…モード設定テーブル
１２４…エリア対応テーブル
１３０…電源
１４０…ＣＰＵ
１４２…検出部
１６０…画像処理部
１７０…音声処理部
１７１…出力制御部
１８０…インターフェイス
１９０…表示制御部
２０１…右バックライト制御部（画像光生成部）
２０２…左バックライト制御部（画像光生成部）
２１１…右ＬＣＤ制御部（表示素子、画像光生成部）
２１２…左ＬＣＤ制御部（表示素子、画像光生成部）
２１０…保持穴（固定部）
２１３…保持穴（固定部）
２１４…保持穴（固定部）
２１８…保持穴（固定部）
２２１…右バックライト（画像光生成部）
２２２…左バックライト（画像光生成部）
２３０…保持穴（固定部）
２３２…センサー
２３３…保持穴（固定部）
２３４…保持穴（固定部）
２３５…センサー
２３６…センサー
２３８…保持穴（固定部）
２４１…右ＬＣＤ（表示素子、画像光生成部）
２４２…左ＬＣＤ（表示素子、画像光生成部）
２５１…右投写光学系（導光部）
２５２…左投写光学系（導光部）
２６１…右導光板（導光部）
２６２…左導光板（導光部）
３１０…右スピーカー（発音体）
３１１…ボール（嵌合体）
３１１ａ…把持爪（嵌合体）
３１１ｂ…把持爪（嵌合体）
３１３…本体部
３２０…左スピーカー（発音体）
３２１…ボール（嵌合体）
３２１ａ…把持爪（嵌合体）
３２１ｂ…把持爪（嵌合体）
３２２…弾性体
３２３…本体部
３２４…クッション
３２５…保護カバー
３３０…右スピーカー（発音体）
３４０…左スピーカー（発音体）
３５１…右サブスピーカー
３５２…左サブスピーカー
３５６…赤外線センサー
３６０…右スピーカー（発音体）
３７０…左スピーカー（発音体）
３７１…コード（距離調節部）
３７２…巻回部（距離調節部）
３７３…本体部
３７４…クッション
３７５…保護カバー
２１２０…センサー
ＰＣＬＫ…クロック信号
ＶＳｙｎｃ…垂直同期信号
ＨＳｙｎｃ…水平同期信号
Ｄａｔａ…画像データー
Ｄａｔａ１…右眼用画像データー
Ｄａｔａ２…左眼用画像データー
ＯＡ…外部機器
ＳＣ…外景
ＶＩ…虚像
ＩＬ…照明光
ＰＬ…画像光
ＶＲ…視野
ＥＬ、ＥＲ…端部
Ｌ１…距離
ＳＰ…端部
ＥＰ…端部
ＨＭ、ＨＭａ…頭部装着型表示装置（ヘッドマウントディスプレイ）
ＰＣ…パーソナルコンピューター
【図１】
2014078868.tif 000003
【図２】
2014078868.tif 000004
【図３】
2014078868.tif 000005
【図４】
2014078868.tif 000006
【図５】
2014078868.tif 000007
【図６】
2014078868.tif 000008
【図７】
2014078868.tif 000009
【図８】
2014078868.tif 000010
【図９】
2014078868.tif 000011
【図１０】
2014078868.tif 000012
【図１１】
2014078868.tif 000013
【図１２】
2014078868.tif 000014
【図１３】
2014078868.tif 000015
【図１４】
2014078868.tif 000016
【図１５】
2014078868.tif 000017
【図１６】
2014078868.tif 000018
【図１７】
2014078868.tif 000019